(57)【要約】【課題】動物の姿態を模し、動物の体の一部を利用して光を放出するランプシェードおよびこれを用いた照明装置を提供する。【解決手段】動物の姿態を模して外形が形成された紙製の中空状モールドに形成され、底部に発光器具挿入口２２が形成されると共に、外周面に光放出部２６が形成されていることを特徴とするランプシェード２０およびこのランプシェード１０の発光器具挿入口２２に発光器具を配設してなる照明装置１０である。【選択図】図１
0003126236.tif 000002
【実用新案登録請求の範囲】
【請求項１】
動物の姿態を模して外形が形成された紙製の中空状モールドに形成され、底部に発光器具挿入口が形成されると共に、外周面に光放出部が形成されていることを特徴とするランプシェード。
【請求項２】
前記中空状モールドにおいて動物の頭部に相当する部位に熱放出口が形成されていることを特徴とする請求項１記載のランプシェード。
【請求項３】
前記熱放出口が前記中空状モールドにおける動物の耳部分に相当する部位に形成されていることを特徴とする請求項２記載のランプシェード。
【請求項４】
前記光放出部は、光が前記中空状モールドの内部から外部に放出可能な薄肉部であることを特徴とする請求項１〜３のうちのいずれか一項に記載のランプシェード。
【請求項５】
前記光放出部は前記中空状モールドに形成された透孔であることを特徴とする請求項１〜３のうちのいずれか一項に記載のランプシェード。
【請求項６】
前記発光器具挿入口の縁部に発光器具のコードを通過させると共に、外部空気が導入可能な切欠溝が形成されていることを特徴とする請求項１〜５のうちのいずれか一項に記載のランプシェード。
【請求項７】
前記切欠溝が前記中空状モールドにおける動物の尾に相当する部位に形成されていることを特徴とする請求項６記載のランプシェード。
【請求項８】
前記中空状モールドの表面に和紙が貼付されて形成されていることを特徴とする請求項１〜７のうちのいずれか一項に記載のランプシェード。
【請求項９】
前記中空状モールドの外観形状が猫の姿態を模して形成されていることを特徴とする請求項１〜８のうちのいずれか一項に記載のランプシェード。
【請求項１０】
前記中空状モールドの外観形状が梟の姿態を模して形成されていることを特徴とする請求項１〜８のうちのいずれか一項に記載のランプシェード。
【請求項１１】
請求項１〜１０のうちのいずれか一項に記載のランプシェードの発光器具挿入部に発光器具が配設されていることを特徴とする照明装置。
【考案の詳細な説明】
【技術分野】
【０００１】
本考案は、動物の姿態を模した紙製のランプシェードおよびこれを用いた照明装置に関する。
【背景技術】
【０００２】
発光体の周辺を金属、樹脂、紙、布帛等の素材により形成した笠により覆い、間接的な照明をするためのランプシェードは広く提供されている。ランプシェードには、装飾が施されていないシンプルなものと、装飾が施されたものがある。
【０００３】
シンプルなランプシェードは例示するまでもないが、装飾されたランプシェードとしては、例えば特許文献１で開示されているようなものがある。
特許文献１記載のランプシェードは、プラスチック材の両側に紙材を貼り付けた少なくとも３層構造の多層合成材とすることにより、難燃性を確保しながらも、紙素材ならではの微妙な光の透過具合や、暖かい風合いを発揮することができ、斬新で優れた審美性を有するランプシェードが提供されるようになった。
【特許文献１】特開２００２―０８６６２９号公報
【考案の開示】
【考案が解決しようとする課題】
【０００４】
近年、製品は多岐にわたる形態で提供されるようになりランプシェードも例外ではない。特に、ペットと暮らしているユーザにおいては、自分と共に暮らしているペットと同じ動物の商品の入手を強く望む傾向にある。特にランプシェードにおいては、照明のスイッチを入れない状態においては置物として居住空間を装飾することができるうえ、照明のスイッチを入れた状態では光の透過具合を楽しむことができるため、ユーザの嗜好に適合させた商品の提供が望まれている。しかしながら現在このような商品は市場において提供されていない。
【０００５】
本考案は、動物の姿態を模して形成された紙製の中空状モールドからなり、動物の体の一部を利用して光を放出するランプシェードおよびこれを用いた照明装置を提供することを目的としている。
【課題を解決するための手段】
【０００６】
本考案は、動物の姿態を模して外形が形成された紙製の中空状モールドに形成され、底部に発光器具挿入口が形成されると共に、外周面に光放出部が形成されていることを特徴とするランプシェードである。
【０００７】
また、前記中空状モールドにおいて動物の頭部に相当する部位に熱放出口が形成されていることを特徴とする。
また、前記熱放出口が前記中空状モールドにおける動物の耳部分に相当する部位に形成されていることを特徴とする。
これらにより、発光器具が発する熱を効率的に中空状モールドの外部に排出することができるので、安全な紙製のランプシェードを提供することができる。
【０００８】
また、前記光放出部は、光が前記中空状モールドの内部から外部に放出可能な薄肉部であることを特徴とする。
また、前記光放出部は前記中空状モールドに形成された透孔であることを特徴とする。
これらにより、紙製の中空状モールドの内部から放出される発光器具の光を絶妙な加減で外部に放出させることができる。
【０００９】
また、前記発光器具挿入口の縁部に発光器具のコードを通過させると共に、外部空気が導入可能な切欠溝が形成されていることを特徴とする。これにより、中空状モールドに新鮮な外気が導入されるため、中空状モールド内の温度上昇を抑えることができ、更に安全な紙製のランプシェードとすることができる。
【００１０】
また、前記切欠溝が前記中空状モールドにおける動物の尾に相当する部位に形成されていることを特徴とする。
また、前記中空状モールドの表面に和紙が貼付されて形成されていることを特徴とする。
これらにより、審美性が向上するので、ランプシェードを置物として利用することができる。
【００１１】
また、前記中空状モールドの外観形状が猫の姿態を模して形成されていることを特徴とする。
また、前記中空状モールドの外観形状が梟の姿態を模して形成されていることを特徴とする。
【００１２】
また、他の考案は上記のうちのいずれかに記載のランプシェードの発光器具挿入部に発光器具が配設されていることを特徴とする照明装置である。
【考案の効果】
【００１３】
本考案に係るランプシェードおよびこれを用いた照明装置によれば、従来にはない形態のランプシェードおよび照明装置を提供することができる。また、動物の姿態を模した外観形状に形成されているので、特にペットと暮らしている人には非常に親しみ深いランプシェードおよび照明装置を提供することができる。
また、紙のみを用いて形成しているので手触り感もよく、独自の温かみを呈するためランプシェードおよび照明装置としてだけでなく置物として利用することもできる。さらに、ランプシェードの主たる材料に再生紙を用いれば、紙材のリサイクルを行うこともでき、地球環境に優しいランプシェードおよび照明装置を提供することもできる。
【考案を実施するための最良の形態】
【００１４】
以下、添付図面に基づいて本考案にかかるランプシェードを用いた照明装置の実施の形態について説明する。図１は本実施の形態における照明装置の斜視図である。図２は本実施の形態における照明装置の正面図である。図３は本実施の形態における照明装置に用いられているランプシェードの底面図である。
図１に示すように、本実施の形態にかかる照明装置１０は、中空状モールドにより猫の姿態を模して形成されたランプシェード２０と、ランプシェード２０の内部に配設された発光器具（図示せず）により構成されている。
【００１５】
ランプシェード２０の本体部をなす中空状モールドは、水などの溶剤に溶かした再生紙等の紙材をメッシュ素材からなる一対の合わせ型の各々にすくい上げ、紙材のみを合わせ型に残留させ、合わせ型の開口面同士を対向させて合わせた後、合わせ型の内部空間に圧縮空気を注入して紙材同士を一体に成形してなる。中空状モールドは猫の姿態を模した形状に形成されている。中空状モールドの外側表面には和紙が貼り付けられる。ここに用いられる和紙は毛羽立たせたものが用いられているので、猫の体毛を模した外観形状を呈する。
【００１６】
ランプシェード（中空状モールド）２０の底面には発光器具挿入口２２として用いる開口部（図３参照）が形成される。電球等の発光器具は発光器具挿入口２２の開口部に嵌入可能な形状に形成された電球保持台(図示せず)に取り付けられている。電球等の発光器具は電球保持台を発光器具挿入口に嵌入させることによりランプシェード２０の内部空間に配設される。
【００１７】
また、発光器具挿入口２２の縁部であって、猫の尾の位置に相当する部位にはランプシェード２０の外部と内部空間とを連通する切欠溝２４が形成される。切欠溝２４には発光器具挿入口２２にセットされている図示しない発光器具の電源コードＫが収納される。このように、ランプシェード（中空状モールド）２０の尾の位置から電源コードＫがランプシェード２０の外部にあらわれているので、電源コードＫを猫の尾に見たてることもできる。
切欠溝２４はランプシェード２０の外部空気導入口としても作用するので、切欠溝２４を電源コードＫの高さに対して十分高さを有する深溝に形成すれば、ランプシェード２０内部の温度を効率的に下げることができる。
【００１８】
ランプシェード２０の外表面には、ランプシェード２０の内部に配設された発光器具からの光をランプシェード２０の外部に放出する光放出部２６が形成されている。光放出部２６は、猫の体の模様に対応する部位となるように形成すれば好適である。
光放出部２６はランプシェード２０の内部から外部に光を放出することができる程度の肉厚を有する薄肉部に形成されている。このような光放出部２６（薄肉部）は、予めランプシェード２０の本体となる中空状モールドの外側表面の一部に透孔を形成した後、透孔部分を覆うように和紙を単数または複数枚を重ね合わせて貼り付けて形成することができる。
【００１９】
ランプシェード２０における猫の耳に相当する部位には、ランプシェード２０の内部空間の熱を外部に放出するための熱放出口２８が形成されている。このように、熱放出口２８を猫の耳に相当する部位に設けることにより、熱放出口２８を配設したことによるデザイン的な違和感をなくすことができる。加えて、ランプシェード２０の上部に熱放出口２８が配設されることになるので、ランプシェード２０内の熱を効率的に外部に排出可能になり機能的にも好都合である。
熱放出口２８は光放出部２６と同様に、ランプシェード２０内の発光器具が発する光をランプシェード２０の外部に放出する作用もなす。
【００２０】
以上の本考案にかかるランプシェード２０を用いた照明装置１０について詳細に説明してきたが、本考案は本実施形態に限定されるものではなく、他の形態を採用することができるのはもちろんである。例えば、図４に示すように、ランプシェード（中空状モールド）２０に形成した透孔をそのまま光放出部２６として用いることも可能である。このようにランプシェード２０に形成した透孔をそのまま光放出部２６として用いれば、ランプシェード２０の内部の熱をランプシェード２０の外部に排出することもできるため好都合である。
【００２１】
また、光放出部２６は必ずしも動物の体毛の模様を模した形状でなくても良く、図５に示すような任意の形状に形成することももちろん可能である。
さらに、本実施の形態においては、熱放出口２８は動物の姿態を模して形成されたランプシェード（中空状モールド）２０の耳位置に相当する部位に配設しているが、この位置に限定されるものではない。熱放出口２８はランプシェード２０の頭部（例えば、目や口等）に相当する部位のいずれかに形成すれば、必然的にランプシェード２０の上側部分に配設されることになり、熱の放出に好都合である。
【００２２】
また、本実施の形態においては、動物として猫を採用しているが、梟や犬等といったいわゆる縁起の良い動物の姿態を模したランプシェード２０とし、これを用いた照明装置１０を提供することももちろん可能である。  
【図面の簡単な説明】
【００２３】
【図１】本実施の形態における照明装置の斜視図である。
【図２】本実施の形態における照明装置の正面図である。
【図３】本実施の形態における照明装置に用いられているランプシェードの底面図である。
【図４】ランプシェードの他の実施形態の一例を示す参考斜視図である。
【図５】ランプシェードの他の実施形態の一例を示す参考斜視図である。
【符号の説明】
【００２４】
１０  照明装置
２０  ランプシェード
２２  発光器具挿入口
２４  切欠溝
２６  光放出部
２８  熱放出口
Ｋ  電源コード
【図１】
0003126236.tif 000003
【図２】
0003126236.tif 000004
【図３】
0003126236.tif 000005
【図４】
0003126236.tif 000006
【図５】
0003126236.tif 000007